(57)【要約】【課題】  本発明は、身体障害者、身心障害者、寝たきり老人、リハビリ病人、要介護・介助者のためのほか、簡易サウナ・足浴などにも用いることができる暖房式入浴介護・介助装置である。【解決手段】  保温性・防水性で厚手の温水貯留型ビニール袋１と、内部に電熱線２を配線し取り外し自在に取り付ける寝袋型暖房袋３を本体とし、温水貯留型ビニール袋１と寝袋型暖房袋３を取り外し自在に取り付け、本体の温水貯留型ビニール袋１の内面に吸水性ウレタンスポンジ４を脱着自在に装着し、３６〜４１℃に温度を設定した温度調節器１３を寝袋型暖房袋３に接続し、本体の下部に３〜５段階のリクライニングシート５を装着させ、温水貯留型ビニール袋１の端部に吸・排水ポンプを付属品として備付している。【選択図】図１
2010179111.tif 000002
【特許請求の範囲】
【請求項１】
保温性・防水性で厚手の温水貯留型ビニール袋１と、内部に電熱線２を全面的に配線した寝袋型暖房袋３を本体とし、前記温水貯留型ビニール袋１の外周に寝袋型暖房袋３を取り外し自在に取り付け、温水貯留型ビニール袋１の内面に吸水性ウレタンスポンジ４を脱着自在に装着し、温水貯留型ビニール袋１の下端部１８に吸・排水ポンプを備付し、寝袋型暖房袋３の底面上部１７に３〜５段階のリクライニングシート５を取り外し自在に装着させ、寝袋型暖房袋３の端部に高温帯域あるいは低温帯域に温度設定する温度調節器１３を接続させ、基本的には３６〜４１℃に温度を設定するが、患者又は利用者の病態又は健康状態に応じて、温度設定できることを特徴とする２層構造の暖房式入浴介護・介助装置。
【請求項２】
寝袋型暖房袋３の袋内に配線される電熱線２の配線を、該寝袋型暖房袋３の天井部６および側面部に重点配線し、寝袋型暖房袋３の底面部１６には電熱線２の配線を減縮することを特徴とする２層構造の暖房式入浴介護・介助装置。
【請求項３】
健常者又は寝たきり老人などの健康状態に応じて、温度調節器１３の温度が４０℃を超えたとき、寝袋型暖房袋３の電熱線２の電流を遮断させ、あるいは３７℃以下に低下したときに温度調節器１３により温度を上昇させることを特徴とする２層構造の暖房式入浴介護・介助装置。
【請求項４】
寝袋型暖房袋３の天井部６に脱着自在の洗い窓口を単数又は複数設けたことを特徴とする２層構造の暖房式入浴介護・介助装置。
【請求項５】
寝袋型暖房袋３の表面部に防水加工を施すか、または温水貯留型ビニール袋１の上端部１９に設けた締結部２０に補助ビニール袋２１を締結し、外周を包囲することを特徴とする２層構造の暖房式入浴介護・介助装置。
【請求項６】
入浴介護・介助装置の本体および付属部品全体に抗菌加工を施し、また、必要に応じて、無臭・消臭加工を行なうことを特徴とする２層構造の暖房式入浴介護・介助装置。
【発明の詳細な説明】
【技術分野】
【０００１】  本発明は、身体障害者、身心障害者、寝たきり老人、リハビリ病人、要介護・介助者のための入浴介護・介助装置のほか、簡易サウナ・災害現場での水浴・温熱利用の足浴としても用いることができる暖房式入浴介護・介助装置である。
【背景技術】
【０００２】  身体障害者、身心障害者、寝たきり老人、リハビリ病人、要介護・介助者などは、入浴するのに手間が掛かるために、家庭では入浴のチャンスが回避されることが多く、介護付きの老人ホームなどを除いては入浴の機会が乏しくなっていた。
しかし、入浴は、血行を良くするほか、新陳代謝を高める効果もあり、筋肉をほぐし、感染症を予防し、便通を整えるなどの効果もみられ、また、身体の汚れや尿漏れによる匂いを洗い流すなどで老醜の非難も払いのけることもできるようになっている。【０００３】  一般的に、浴槽やシャワーなどが使われるが、寝たきり老人や骨折リハビリ患者など浴槽やシャワーを利用することが出来なかったり、困難な場合には、浴用タオルなどで身体の清拭（セイシキ）が行なわれ、皮膚の汚れを取り除き、床擦れや細菌の感染の防止が可能となり、肩こりや腰痛などのマッサージ効果をもたらし、血行もよくなる効果が見られるが、浴槽に入浴して症状に応じた温熱水の中で疲れを取りたいという希望も多いことはいうまでもないことである。【０００４】  また、訪問入浴車を利用して介護サービスを利用する場合では、浴槽を積んだ入浴車で依頼の居住宅を訪問し入浴介護サービスを行ない、入浴に際しては、看護師のほか、介護職員など３人が入浴介護サービスを行なっている。
【発明の開示】
【発明が解決しようとする課題】
【０００５】  以上述べた訪問入浴車を利用する入浴介護サービスでは、移動入浴車のほか、看護師を含めたスタッフ３人が必要となり、事前検診・事後検診のほか、入浴前の入浴器具の設置や介助完了後の除去作業が必要で、浴槽の搬出入を含め、全ての作業が終わるまでに時間が掛かることや、多額の利用料を必要とするなどの欠点があった。【０００６】  本発明は、従来技術の欠点を解消しようとするものであり、浴槽を不要とし、必要に応じ何時でも、何処でも、誰でもが、簡単な操作によって利用でき、入浴時には爽快感・快適感を、入浴後には満足感を味遭うことが出来るようになった。
【課題を解決するための手段】
【０００７】  本発明の暖房式入浴介護・介助装置を図面に従って詳細に説明すると、図１では、保温性・防水性で厚手の温水貯留型ビニール袋１と、内部に電熱線２を全面的に配線し温水貯留型ビニール袋１に取り外し自在に取り付ける寝袋型暖房袋３を本体とし、前記温水貯留型ビニール袋１と寝袋型暖房袋３を取り外し自在に取り付け、かつ、本体の温水貯留型ビニール袋１の内面に吸水性ウレタンスポンジ４を脱着自在に装着し、さらに、３６〜４１℃に温度を設定した温度調節器１３を寝袋型暖房袋３に接続し、本体の底面上部１７に３〜５段階のリクライニングシート５を装着させ、温水貯留型ビニール袋１の下端部１８に排水口５を介して吸・排水ポンプを付属品として備付した２層構造の暖房式入浴介護・介助装置１４であって、温度調節については、個人差により温度は自由・簡単に調節できるようになった。【０００８】  入浴にあたっては、湯の温度、入浴時間にも関係して、かなり疲れるので、利用者の病状や健康状態を考慮して入浴しなければならないが、入浴では、血液やリンパ液の循環を良くし、筋肉などに溜まった疲労物質や老廃物質を取り除く効果も挙げられ、入浴により皮膚表面を清浄にすると皮膚呼吸がしやすくなるという効果もあり、低温領域（３６℃以下）での入浴なら鎮静作用があり、爽快気分を生じ、お湯の中での自由な動きが筋肉の動きを活発化し、運動機能の回復にも役立っている。【０００９】  入浴環境の考慮として、室内温度は快適な温度とすることを心掛けなければならない。室内温度は冬季には１８〜２２℃、夏季には２２〜２５℃が一般的で、高齢者にとっては、室温と脱衣場所・浴室との温度が激しいと身体的な負担が大きくなり、倒れるという危険な面に遭遇することも見られる。【００１０】  身体的障害のある人にとっては温熱障害が見られ、３９℃以上の温水に見られる高温障害としては、体温調節障害として脊髄損傷、脳性まひ、ハンセン氏病などが該当し、例えば、脊髄損傷の場合には、高温障害として発汗障害、温冷感麻痺などが知られているが、本発明では限界値の３９℃の手前である３８℃を記録すると、自動的に温度調節器１３の電熱線３の電流を遮断し、高温障害を排除することになっている。
３６℃以下の温水に見られる低温障害としては、温冷感障害や、頻尿、下痢、代替機能の妨害などが挙げられていることから、温水加熱を指示するか、入浴の中止を指示することによって、低温障害を排除することになっている。身体的障害の症状に応じて適切な温度調節をしなければならず、本発明では、温度調節器１３を活用している。【００１１】  本発明の暖房式入浴介護・介助装置１４は、生産性・利便性・経済性などのほか、安心・安全・清潔のための設計を重視してなされ、利用者の入浴時の快適感、入浴後の爽快感・満足感などを充足する必要を満たし、他からの雑菌侵入防止のためにも、本体はもちろん、部材すべて抗菌加工を施し、また、臭いに対してアレルギーを持つ人も多いため、無臭・消臭加工を行なっており、安らぎの健康ライフを実現している。
【発明の効果】
【００１２】  本発明の暖房式入浴介護・介助装置は、浴槽を不要とし、コンパクトに設計されているため、コストダウンが可能となり、軽量で携帯が容易で持ち運びに便利となり、操作が簡単になり、作業性が高まり、利用水の循環が円滑で、衛生的な保管が可能となった。そのため、利用者や介護師・介助者などが、いつでも、どこでも簡単に操作できるので、利用者にとっても抜群の利便性をもたらすという大きなメリットがあり、介護労動者も激労といわれた介護労働からも解放されるようになった。【００１３】  また、現行の訪問入浴車サービスと比較すると、改革度が極めて高く、携帯が容易であるため、看護師・介助者などのスタッフは、現状の３人（一般的な平均）のうち、２人は削減が可能となった。【００１４】  さらに、本発明は個人別に単独で利用できる温水貯留型ビニール袋１、電熱線２を配設した寝袋型暖房袋３を本体とし、本体の付属部品として吸収性ウレタンスポンジ４、リクライニングシート５、温度調節器１３、吸・排水ポンプが配備されるため、介護作業に使われる水量が少なくて済み、暖房用の電気やガス代のほか、介護作業用の水道代などの費用も大幅に削減できるようになった。【００１５】  寝たきりの人や病人を対象とする場合も、掃除が簡単なため、介助者や家族とも従来の激労から解放され、ストレスも解放され、家族に笑顔と活力、希望が戻り、団欒も復活するなどメリットが多い。
【発明を実施するための最良の形態】
【実施例】
【００１６】  本発明の暖房式入浴介護・介助装置１４を図１に従って詳細に説明すると、保温性・防水性に優れた厚手の温水貯留型ビニール袋１と、内部に電熱線２を全面的に配線し取り外し自在に取り付ける寝袋型暖房袋３を本体とし、前記温水貯留型ビニール袋１と寝袋型暖房袋３を取り外し自在に取り付け、かつ、本体の温水貯留型ビニール袋１の内面に吸水性ウレタンスポンジ４を脱着自在に装着し、さらに、３６〜４１℃に温度を設定した温度調節器１３を寝袋型暖房袋３に接続し、本体の下部に３〜５段階のリクライニングシート５を挿着させ、温水貯留型ビニール袋１の下端部に排水口１５を設け、連結する吸・排水ポンプを付属品として備付した２層構造の暖房式入浴介護・介助装置１４である。【００１７】  本発明の暖房式入浴介護・介助装置１４は最も重要な構成部分であって、内側に置かれる保温性・防水性に優れた厚手の温水貯留型ビニール袋１と、該温水貯留型ビニール袋の外周を囲繞し、その内部に電熱線２を配線した寝袋型暖房袋３を本体としている。これら２つの袋は、取り外し自在に取り付けられ、直径約７５ｃｍ，長さは大型で約１９０〜２００ｃｍで、マジックテープで密着・一体化させているため必要スペースは、最低約７．５ｍ２（４畳半）で、寝たきりの人にとっては、移動範囲が小さく利便性が高いものである。【００１８】  寝袋型暖房袋３については、普通、防水加工をしているが、湿気を嫌うこともあることから、寝袋型暖房袋３の外周を防水布で包囲することもあり、実施例としては、図５に見るように、温水貯留型ビニール袋１の上端部１９に締結部２０を設け、補助ビニール袋２１を締結して寝袋型暖房袋３を保護している。【００１９】  また、他の実施例として、寝袋型暖房袋３の袋内に配線される電熱線２の配線を、該寝袋型暖房袋３の天井部６および側面部に重点配線し、寝袋型暖房袋３の底面部１６には電熱線２の配線を減縮することにしているが、寝袋型暖房袋３の全面に電熱線２を配線する場合、病人などの利用者の仰向けが固定化すると、病人などの体重圧によって背中部分に起きる火傷被害を予防するために電熱線２の配線を減縮するものである。【００２０】  要介護者や寝たきりの人が利用する場合には、付属部品のリクライニングシート５を設置し、病状に応じて入浴装置に挿着させる。リクライニングシート５は、３段階式、５段階式などがあり、角度を持たせて入浴させ、汚れたお湯や上がり湯を足元の湯溜まり部１１に溜める役目をしている。溜まったお湯は吸水・排水ポンプによって排水溝に流すなどの処理をする。【００２１】  入浴介護・介助装置１４に用いるお湯の温度は、基本的に３６℃〜４１℃とし、湯量は、１８ｌ前後で、温度設定は温度調節器１３で自動的に設定されるようになっている。患者又は利用者の病態又は健康状態に応じて、高温帯域あるいは低温帯域に温度設定している。【００２２】  利用者の入浴に当たっては、湯の部分に浸かりにくい首部などは、連鎖的に首部部分が湯の蒸気により温湿状態となることから、乾布などにより、清拭が行なわれ、清潔になることが期待されるようになった。【００２３】  健常者又は寝たきり老人などの健康状態に応じて、暖房式入浴介護・介助装置１４の湯温を温��調節器１３により設定しているが、高温になったり、低温になったりすると、利用者の病態によっては体調が変化してしまうので、４０℃を超えたときに、寝袋型暖房袋３の電熱線２の電流を自動的に遮断させることによって安全性を確保している。また、３６℃以下の温水になると低温障害が見られることから、温水加熱の指示や入浴中止の指示がなされて低温障害も排除されることになっている。【００２４】  湯温については、昔から中風に良いといわれる温泉は、３６〜３９℃の湯であるとされているが、高血圧症、高度の動脈硬化症、心臓疾患では、４２℃以上の高温浴をしてはいけないとされている。高温浴の際には、入浴直後に血圧が急上昇し、また新陳代謝が亢進するので、心臓の負担が大きくなることに留意する必要がある。【００２５】  図３に示すように寝袋型暖房袋３の天井部６に脱着自在の洗い窓口を単数又は複数設けているが、実施例としては、洗い窓口Ａ７、洗い窓口Ｂ８、洗い窓口Ｃ９、洗い窓口Ｄ１０を設置し、手洗いの場所を限定して任意の洗い窓口を開閉することにしている。その理由としては、全面解放すると外気に曝される事が考えられることから寒さを防ぐことを考慮し、また、婦人の羞恥心を考慮して、部分的に開放できるようにしている。開放に当たっては、単独又は複数の洗い窓口を開放すると良く、体の上半身を洗う場合は洗い窓口Ａ７、洗い窓口Ｂ８を開放すれば良く、全身を洗う場合には４つの窓を開放すれば良いことになっている。【００２６】  図４に示すように温水貯留型ビニール袋１の内面に吸水性ウレタンスポンジ４を脱着自在に装着しているのは、温水の外部漏出を予防し、入浴中の温水の偏りの防止をも考慮したものである。
【産業上の利用可能性】
【００２７】  本発明は、主として身体障害者、身心障害者、寝たきり老人、リハビリ病人、要介護・介助者のために用いられるが、独身者のほか、健常者を中心にした簡易サウナや疲労回復用の足湯などとしても用いることができる暖房式入浴介護・介助装置である。
【図面の簡単な説明】
【００２８】
【図１】  暖房式入浴介護・介助装置の実施例図。
【図２】  電熱線配線状態図。
【図３】  洗い窓口の実施例図。
【図４】  吸水性ウレタンスポンジの装着実施例図。
【図５】  暖房式入浴介護・介助装置の第２実施例図。
【符号の説明】
【００２９】  １：温水貯留型ビニール袋
２：電熱線
３：寝袋型暖房袋
４：吸収性ウレタンスポンジ
５：リクライニングシート
６：天井部
７：洗い窓口Ａ
８：洗い窓口Ｂ
９：洗い窓口Ｃ
１０：洗い窓口Ｄ
１１：湯溜まり部
１２：暖房式入浴介護・介助装置利用の利用者
１３：温度調節器
１４：暖房式入浴介護・介助装置
１５：排水口
１６：底面部
１７：底面上部
１８：下端部
１９：上端部
２０：締結部
２１：補助ビニール袋
【図１】
2010179111.tif 000003
【図２】
2010179111.tif 000004
【図３】
2010179111.tif 000005
【図４】
2010179111.tif 000006
【図５】
2010179111.tif 000007